(57)【要約】【課題】  屋上等に設置の太陽電池アレイにおける外側の太陽電池パネルに人が接触して怪我をする危険を可及的に解消する。【解決手段】  耐候性に優れる熱可塑性エラストマーによって軟質一体の長尺の緩衝パッド３ａ、コーナー緩衝パッド３ｂ、連結緩衝パッド３ｃを用いて、太陽電池パネル１のパネル枠２を被覆する。緩衝パッド３ａ、３ｂ、３ｃは、断面Ｌ字状に交差片３１、対接片３２、カバー片３５を備えて一体に成形してある。対接片３２は、パネル枠２の固定フィン２３の有無に拘らずパネル枠２を被覆する凹溝３４を形成する屈曲リブ３３を備えてあり、この屈曲リブ３３が緩衝パッド３ａの内部緩衝部位として緩衝パッド３ａの緩衝機能を高度化し、怪我の防止や太陽電池パネル１の保護を有効に行う。【選択図】  図１
2012174832.tif 000002
【特許請求の範囲】
【請求項１】
太陽電池アレイの外側に位置する太陽電池パネルのパネル枠に緩衝機能を付与する熱可塑性エラストマー軟質一体長尺の緩衝パッドを備え、該緩衝パッドを、パネル枠側に突出して該枠の上面に対接する交差片と、該交差片と断面Ｌ字状をなし上記パネル枠の外側面に対接する対接片と、上記交差片から対接片の外側面を被覆して断面コ字状をなしその対接片側に向けた先端を自由端とすることによって手捲り自在としたカバー片を有するとともに上記対接片の上下中間位置に上記パネル枠側に開口する凹溝を形成してカバー片側に向けて外方に突出する屈曲リブを配置してなることを特徴とする太陽電池アレイの緩衝装置。
【請求項２】
上記長尺の緩衝パッドに加えて、パネル枠のコーナーに配置して該緩衝パッドを直交方向に連結する同じく熱可塑性エラストマーの軟質一体のコーナー緩衝パッドを備え、該コーナー緩衝パッドを、上記緩衝パッドの外形に合せた直交２辺の交差片及び直交２辺のカバー片を有するとともにこれら交差片及びカバー片のコーナー位置を上下に結ぶ仕切プレートと、該仕切プレートから直交２辺をなすように突出し且つ交差片との間に上記凹溝に応じたスリットを介して配置して上記緩衝パッドの対接片を外側で被覆する被覆片を有して、緩衝パッド長手方向端部を受入自在としてなることを特徴とする請求項１に記載の太陽電池アレイの緩衝装置。
【請求項３】
上記長尺の緩衝パッド又はこれとコーナー緩衝パッドに加えて、該緩衝パッドを長手方向に連結する同じく熱可塑性エラストマーの軟質一体の連結緩衝パッドを備え、該連結緩衝パッドを、上記緩衝パッドの外形に合せた交差片及びカバー片を有するとともにカバー片の先端から交差片に向けて起立して交差片との間に上記凹溝に応じたスリットを介して配置して上記緩衝パッドの対接片を外側で被覆する被覆片を有して、緩衝パッド長手方向端部を受入自在としてなることを特徴とする請求項１又は２に記載の太陽電池アレイの緩衝装置。
【発明の詳細な説明】
【技術分野】
【０００１】
本発明は、太陽電池アレイの外側を画するように配置した太陽電池パネルのパネル枠に緩衝作用を付与するように、該パネル枠を被覆した太陽電池アレイの緩衝装置に関する。
【背景技術】
【０００２】
この種の太陽電池アレイの緩衝装置として、本発明者は、下記特許文献１によって、太陽電池アレイの外周を画するように配置した太陽電池パネルのパネル枠に、例えば架台に設置したブラケットを介して該枠を被覆するように、断面逆Ｌ字状のパネル枠ガードを設置し、該パネル枠ガードに熱可塑性エラストマー軟質一体長尺の緩衝パッドを配置することによってパネル枠に緩衝機能を付与するものを提案済みであり、これによれば、該緩衝パッドを、上記パネル枠ガード側に突出して該パネル枠ガードの上面に対接する交差片と、該交差片と断面Ｌ字状をなし上記パネル枠ガードの外側面に対接する対接片と、上記交差片から該交差片及び対接片の外側面を被覆して断面コ字状をなしその対接片側に向けた先端を自由端とすることによって手捲り自在としたカバー片を有するものとしてあり、また、該緩衝パッドに加えて、パネル枠のコーナーに配置して該緩衝パッドを直交方向に連結する同じく熱可塑性エラストマーの軟質一体のコーナー緩衝パッドを備えるものとしてある。
【先行技術文献】
【特許文献】
【０００３】
【特許文献１】特願２０１０−１７２５４８
【発明の概要】
【発明が解決しようとする課題】
【０００４】
この場合、陸屋根を有する建造物、例えば、小中学校、市町村会館、百貨店等の公共乃至公共的な施設の屋上に架台を用いて設置した太陽電池アレイのパネル枠ガードを、緩衝パッドによって外観よく被覆するとともにパネル枠ガードに緩衝機能を付与することによって、屋上を利用する児童生徒や施設利用者が接触しても、その接触衝撃を吸収緩和して接触事故の発生可能性を可及的に解消し、併せて太陽電池アレイ、ひいては太陽電池パネルの損傷を防止し得るとの作用効果を奏することができる。
【０００５】
しかし乍ら、この場合、緩衝パッドの設置にはブラケットの設置及び該ブラケットに対するパネル枠ガードの固定のための作業が必要となって緩衝パッドの設置作業が煩雑化する可能性が残り、従って、これらブラケットやパネル枠ガードを用いることなく、太陽電池アレイの外側を画するように配置した太陽電池パネルのパネル枠に対して直接に緩衝パッドを設置し得るようにすれば、現場での作業を簡易化することが可能となる。
【０００６】
本発明はかかる事情に鑑みてなされたもので、その解決課題とするところは、上記パネル枠に対して緩衝パッドを直接に設置することによって、可及的簡易な作業によって太陽電池アレイに緩衝機能を付与し得るようにした太陽電池アレイの緩衝装置を提供するにある。
【課題を解決するための手段】
【０００７】
上記課題に沿って検討したところ、太陽電池アレイにおける外側に位置する太陽電池パネルのパネル枠は、一般にアルミ押出材製にして断面形状を２種類とした枠材が用いられており、即ち、その断面形状は、太陽電池パネルの支持構造を共通としつつ、外側面に金具固定乃至隣接相互の連結固定用の固定フィンを突出したものと、該固定フィンを備えることなくフラットな面としたものの２種類であり、固定フィンを備えたものは、いわゆる傾斜屋根仕様の長尺側のパネル枠として用いる一方、固定フィンを備えないフラットな面の枠材は、該傾斜屋根仕様の短尺側のパネル枠として、また、いわゆる陸屋根仕様の長尺側及び短尺側のパネル枠として用いるものとされるところ、上記陸屋根の屋上に太陽電池アレイを設置するとき、陸屋根仕様のパネル枠ではなく、傾斜屋根仕様のパネル枠を用いることも多く、従って、パネル枠に緩衝パッドを直接に設置するについては、上記長尺側のパネル枠に用いられる固定フィンを備えた枠材と、その余のフラットな面の枠材の双方に対応して、これらのいずれにも直接の設置をなし得るようにする必要があること、このとき、本発明者による先行する上記提案にかかる緩衝パッドの基本構成を可及的に維持しながら、その対接片に凹溝を配置して該固定フィンを受入れ自在とすれば、固定フィンの有無に拘らず、緩衝パッドをパネル枠に直接設置することが可能となること、該凹溝を配置するについて、上記対接片の上下中間位置にカバー片側に向けて外方に突出するように、上記凹溝形成用の屈曲リブを配置すれば、固定フィンの有無に拘らず、該屈曲リブが対接片とカバー片の間にあって、緩衝パッドに対する衝撃を有効且つ確実に吸収し、緩衝パッドの緩衝機能を高度化する緩衝パッド内部の緩衝部位をなし、該緩衝パッドの外観を損なうことなく、怪我の防止や太陽電池アレイ、ひいては太陽電池パネルの保護に更に有効となるとの知見を得るに至り、該知見に基づいて本発明をなすに至ったものであって、即ち、請求項１に記載の発明を、太陽電池アレイの外側に位置する太陽電池パネルのパネル枠に緩衝機能を付与する熱可塑性エラストマー軟質一体長尺の緩衝パッドを備え、該緩衝パッドを、パネル枠側に突出して該枠の上面に対接する交差片と、該交差片と断面Ｌ字状をなし上記パネル枠の外側面に対接する対接片と、上記交差片から対接片の外側面を被覆して断面コ字状をなしその対接片側に向けた先端を自由端とすることによって手捲り自在としたカバー片を有するとともに上記対接片の上下中間位置に上記パネル枠側に開口する凹溝を形成してカバー片側に向けて外方に突出する屈曲リブを配置してなることを特徴とする太陽電池アレイの緩衝装置としたものである。
【０００８】
請求項２に記載の発明は、上記に加えて、コーナー緩衝パッドを備えることによって、太陽電池アレイのコーナーにおいて、上記長尺の緩衝パッドの長手方向端部の直交２辺の連結を可及的簡易且つ外観よく行って、同様に緩衝材による緩衝機能を向上するとともに現場作業を容易化したものとするように、これを、上記長尺の緩衝パッドに加えて、パネル枠のコーナーに配置して該緩衝パッドを直交方向に連結する同じく熱可塑性エラストマーの軟質一体のコーナー緩衝パッドを備え、該コーナー緩衝パッドを、上記緩衝パッドの外形に合せた直交２辺の交差片及び直交２辺のカバー片を有するとともにこれら交差片及びカバー片のコーナー位置を上下に結ぶ仕切プレートと、該仕切プレートから直交２辺をなすように突出し且つ交差片との間に上記凹溝に応じたスリットを介して配置して上記緩衝パッドの対接片を外側で被覆する被覆片を有して、緩衝パッド長手方向端部を受入自在としてなることを特徴とする請求項１に記載の太陽電池アレイの緩衝装置としたものである。
【０００９】
請求項３に記載の発明は、同じく上記に加えて、連結緩衝パッドを備えることによって、上記長尺の緩衝パッドの連結を可及的簡易且つ外観よく行って、緩衝材による緩衝機能を向上するとともに現場作業を容易化したものとするように、これを、上記長尺の緩衝パッド又はこれとコーナー緩衝パッドに加えて、該緩衝パッドを長手方向に連結する同じく熱可塑性エラストマーの軟質一体の連結緩衝パッドを備え、該連結緩衝パッドを、上記緩衝パッドの外形に合せた交差片及びカバー片を有するとともにカバー片の先端から交差片に向けて起立して交差片との間に上記凹溝に応じたスリットを介して配置して上記緩衝パッドの対接片を外側で被覆する被覆片を有して、緩衝パッド長手方向端部を受入自在としてなることを特徴とする請求項１又は２に記載の太陽電池アレイの緩衝装置としたものである。
【００１０】
本発明はこれらをそれぞれ発明の要旨として上記課題解決の手段としたものである。
【発明の効果】
【００１１】
本発明は以上のとおりに構成したから、請求項１に記載の発明は、小中学校、市町村会館、百貨店等の公共乃至公共的な施設の屋上に架台を用いて設置した太陽電池アレイの外側に位置する太陽電池パネルのパネル枠を、緩衝パッドによって外観よく被覆するとともにパネル枠に緩衝機能を付与することによって、屋上を利用する児童生徒や施設利用者が接触しても、その接触衝撃を吸収緩和して接触事故の発生可能性を可及的に解消し、併せて太陽電池アレイ、ひいては太陽電池パネルの損傷を防止し得る上、緩衝パッドの対接片に凹溝を配置して、パネル枠に設置されることある固定フィンを受入れ自在とすることにより固定フィンの有無に拘らず緩衝パッドをパネル枠に直接設置して可及的簡易な作業によって太陽電池アレイに緩衝機能を付与し得るとともに上記対接片の上下中間位置にカバー片側に向けて外方に突出するように、上記凹溝形成用の屈曲リブを配置したことによって、固定フィンの有無に拘らず、該屈曲リブが対接片とカバー片の間にあって、緩衝パッドに対する衝撃を有効且つ確実に吸収し、緩衝パッドの緩衝機能を高度化する緩衝パッド内部の緩衝部位をなし、該緩衝パッドの外観を損なうことなく、怪我の防止や太陽電池アレイ、ひいては太陽電池パネルの保護に更に有効とした太陽電池アレイの緩衝装置を提供することができる。
【００１２】
請求項２に記載の発明は、上記に加えて、コーナー緩衝パッドを備えることによって、太陽電池アレイのコーナーにおいて、上記長尺の緩衝パッドの長手方向端部の直交２辺の連結を可及的簡易且つ外観よく行って、同様に緩衝材による緩衝機能を向上するとともに現場作業を容易化したものとすることができる。
【００１３】
請求項３に記載の発明は、同じく上記に加えて、連結緩衝パッドを備えることによって、上記長尺の緩衝パッドの連結を可及的簡易且つ外観よく行って、緩衝材による緩衝機能を向上するとともに現場作業を容易化したものとすることができる。
【図面の簡単な説明】
【００１４】
【図１】太陽電池アレイと緩衝パッドの関係を示す斜視図である。
【図２】太陽電池アレイの長尺側パネル枠位置の縦断面図である。
【図３】太陽電池アレイの短尺側パネル枠位置の縦断面図である。
【図４】長尺の緩衝パッドの縦断面図である。
【図５】長尺の緩衝パッドの背面図である。
【図６】コーナー緩衝パッドの底面図である。
【図７】コーナー緩衝パッドの平面図である。
【図８】コーナー緩衝パッドの端面図である。
【図９】コーナー緩衝パッドと緩衝パッドの関係を示す縦断面図である。
【図１０】連結緩衝パッドの側面図である。
【図１１】連結緩衝パッドの背面図である。
【図１２】連結緩衝パッドと緩衝パッドの関係を示す縦断面図である。
【図１３】緩衝パッドの配置状態を示す斜視図である。
【発明を実施するための形態】
【００１５】
以下図面の例に従って本発明を更に具体的に説明すれば、Ａは、例えば、小中学校の校舎の陸屋根をなす屋上に設置した太陽電池アレイであり、該太陽電池アレイＡは、平面矩形多数の太陽電池パネル１を行方向及び列方向に配列した、該太陽電池パネル１の集合体としてあり、また、該太陽電池パネル１は、常法に従って、太陽電池セルをパッケージして、外周に配置したパネル枠２の保持片２１によって保持するとともに下端の架台固定片２２を、屋上配置に設置した架台１１にボルトナットで締着することによって、該架台１１に固定したものとしてある。
【００１６】
このとき、本例の太陽電池パネル１は、傾斜屋根仕様の太陽電池パネルを陸屋根用に共用したものとしてあり、このため、そのパネル枠２は、平面矩形の太陽電池パネル１の長尺側と短尺側とで異なる断面形状の枠材を用いたものとしてある。即ち、パネル枠２は、長尺側及び短尺側で、上記保持片２１、架台固定片２２を共通に有するも、長尺側において、その外側面に、傾斜屋根仕様としてその屋根架台に対して金具固定し、また、隣接相互に金具連結するに用いる固定フィン２３を外側に向けて突出し、短尺側において、その外側面を、該固定フィン２３を備えることなくフラットな面とすることによって、固定フィン２３の有無で異なる２種の断面形状の枠材を用いたものとしてある。
【００１７】
太陽電池アレイＡは、上記屋上に設置したことによって、そのパネル枠２に緩衝作用を付与するように緩衝装置を配置したものとしてあり、該緩衝装置は、太陽電池アレイＡの外側に位置する太陽電池パネル１のパネル枠２に緩衝機能を付与する熱可塑性エラストマー軟質一体長尺の緩衝パッド３ａ、本例にあってはこれに加えて、パネル枠２のコーナーに配置して該緩衝パッド３ａを直交方向に連結する同じく熱可塑性エラストマーの軟質一体のコーナー緩衝パッド３ｂ及び緩衝パッド３ａを長手方向に連結する同じく熱可塑性エラストマー軟質一体長尺の連結緩衝パッド３ｃを備えたものとしてある。熱可塑性エラストマーはそれ自体優れた耐候性を呈するから、屋外の直射日光を受ける太陽電池アレイＡの緩衝装置として使用することによって、長期に亘って良好な耐久性を有するものとすることができる。
【００１８】
緩衝パッド３ａは、これを、パネル枠２側に突出して該枠２の上面に対接する交差片３１と、該交差片３１と断面Ｌ字状をなし上記パネル枠２の外側面に対接する対接片３２と、上記交差片３１から対接片３２の外側面を被覆して断面コ字状をなしその対接片３２側に向けた先端を自由端とすることによって手捲り自在としたカバー片３５を有するとともに上記対接片３２の上下中間位置に上記パネル枠２側に開口する凹溝３４を形成してカバー片３５側に向けて外方に突出する屈曲リブ３３を配置したものとしてある。
【００１９】
本例にあって緩衝パッド３ａは、例えば、肉厚を２〜３ｍｍ程度として上記熱可塑性エラストマーを一体成形した、上記交差片３１、屈曲リブ３３を有する対接片３２及びカバー片３５を備えた長尺のものとしてあり、このとき交差片３１は、これを、対接片３２の上端から内方、即ち太陽電池パネル１側に突出し、先端を鋭角化した矢尻状中空乃至中実、本例にあっては中実にして、内方への突出幅を１ｃｍ程度としたものとしてある。
【００２０】
対接片３２は、交差片３１から５〜６ｃｍ程度の高さにして上下中間位置に屈曲リブ３３を配置した以外、平坦なプレート状のものとしてあり、該屈曲リブ３３は、例えば、交差片３１との付け根をなす上端から数ｍｍ程度を残すことによって交差片３１と直交するＬ字面を形成するとともにその下位の上下中間位置に凹溝３４を形成する、同じく肉厚２ｍｍの上記屈曲リブ３３を配置してあり、該屈曲リブ３３は、対接片３２を外方に向けて断面コ字状に屈曲し、その開口を内方に向けることによって、例えば、高さ５〜６ｍｍ程度、奥行１ｃｍ強の断面矩形の凹溝３４を形成したものとしてある。
【００２１】
カバー片３５は、上記矢尻状の交差片から外方に向けて、例えば断面コ字状乃至Ｃ字状、本例にあっては断面Ｃ字状をなすように、対接片３２から１．５〜２ｃｍ弱の間隔をあけて配置した、湾曲した上部、平坦な中間部、対接片側に向けた平坦な下部を備えたものとしてあり、該下部の先端を、該対接片３２と接続することなく、例えば１ｍｍ程度離隔して、これを自由端として、エラストマーの弾性によって手捲り自在としてある。このようにカバー片３５を自由端とすることにより、該緩衝パッド３ａ内の雨水や結露水を、該カバー片３５と対接片３２間から外部に排水することが可能となる。
【００２２】
このように形成した長尺の緩衝パッド３ａは、対接片３２を、太陽電池パネル１におけるパネル枠２の外側面に突き当て状に対接して、交差片３１を該パネル枠２の上面から太陽電池パネル１のガラス面に至るように載置して、該対接片３２から所定間隔のネジ３９、本例にあってはタッピングネジをパネル枠２に螺入することによってパネル枠２に固定することによってその設置を行うものとしてあり、このとき、該緩衝パッド３ａは、その上記交差片３１と対接片３２が直交する上記Ｌ字面をパネル枠２の上端に当てるように載置することにより、該緩衝パッド３ａのパネル枠２に対する位置決めを行うことができ、また、上記ネジ３９の固定は、エラストマーの軟質性によって、カバー片３５を該固定位置で手捲りし、対接片３２にネジ３９をあてがってパネル枠２にネジ３９を螺入するようにすればよく、これによって緩衝パッド３ａの表面にネジ３９が露出するのを防止できる。
【００２３】
該緩衝パッド３ａの設置に際して、上記平面矩形の太陽電池パネル１における長尺側のパネル枠２の外側面に突出した上記固定フィン２３は、これを、対接片３２の上下中間位置に配置した上記屈曲リブ３３の凹溝３４に受入れることによって、短尺側のパネル枠２のフラットな外側面にはそのまま対接片３２を突き当て状とすることによって、屈曲リブ３３を対接片３２に配置した該緩衝パッド３ａは、固定フィン２３の有無に拘らず、パネル枠２に対してその確実な設置を行うことができる。
【００２４】
このとき、太陽電池アレイＡのパネル枠２を、肉厚２〜３ｍｍ程度の緩衝パッド３ａによって被覆したから、パネル枠２に外観よく緩衝機能を付与して、太陽電池アレイＡ以外の屋上スペースを児童生徒等の運動に利用しても、該屋上を利用する児童生徒が太陽電池アレイＡに接触したとき、その接触衝撃を吸収緩和して接触事故の発生可能性を可及的に解消し、併せて太陽電池アレイＡ、ひいては太陽電池パネル１の損傷を防止し得る上、対接片３２の上下中間位置に外方に向けて屈曲した、高さ５〜６ｍｍ程度、奥行１ｃｍ強の上記凹溝３４を形成する屈曲リブ３３、即ち、肉厚を加えると高さ１ｃｍ程度、幅１．数ｃｍ程度の比較的大きな断面コ字状の屈曲リブ３３を有しているから、該屈曲リブ３３が固定フィン２３の有無に拘らず、対接片３２とカバー片３５の間にあって、緩衝パッド３ａに対する衝撃を有効且つ確実に吸収し、緩衝パッド３ａの緩衝機能を高度化する緩衝パッド内部の緩衝部位として作用する結果、上記児童生徒の接触に際してその怪我の防止や太陽電池アレイＡ、ひいては太陽電池パネル１の保護に更に有効なものとすることができる。
【００２５】
一方、上記長尺の緩衝パッド３ａとともに用いる上記コーナー緩衝パッド３ｂは、これを、上記緩衝パッド３ａの外形に合せた交差片３１及びカバー片３５を有するとともにカバー片３５の先端から交差片３１に向けて起立して交差片３１との間に上記凹溝３４に応じたスリット３６を介して配置して上記緩衝パッド３ａの対接片３２を外側で被覆する被覆片３７を有して、緩衝パッド３ａ長手方向端部を受入自在とし、また、上記連結緩衝パッド３ｃは、これを、上記緩衝パッド３ａの外形に合せた交差片３１及びカバー片３５を有するとともにカバー片３５の先端から交差片３１に向けて起立して交差片３１との間に上記凹溝３４に応じたスリット３６を介して配置して上記緩衝パッド３ａの対接片３２を外側で被覆する被覆片３７を有して、緩衝パッド３ａ長手方向端部を受入自在としてある。
【００２６】
即ち、コーナー緩衝パッド３ｂは、太陽電池アレイＡの太陽電池パネルの２面を覆って、そのコーナーで直交する２辺のパネル枠２を該コーナーで連結し、連結緩衝パッド３ｃは、太陽電池パネル１の長尺側のパネル枠２が長尺の緩衝パッド３ａより長いときや、その長さを該長尺側のパネル枠２に応じたものとするときに、列方向に隣接する太陽電池パネル１間で長尺の緩衝パッド３ａを接続するに際して、該緩衝パッド３ａの長手方向端部で該緩衝パッド３ａを連結するように用いるものとしてあり、このため、これらコーナー緩衝パッド３ｂ及び連結緩衝パッド３ｃは、長尺の緩衝パッド３ａの長手方向端部を被嵌状に受入自在とするように、該長尺の緩衝パッド３ａより大きめのものとするように、その交差片３１を、中空の矢尻状とし、カバー片３５を同様に断面コ字状乃至Ｃ字状、本例にあっては断面Ｃ字状とするとともに対接片３１とカバー片３５間の間隔を、上記長尺の緩衝パッド３ａの外形、即ち２ｃｍ程度より幾分大きく、例えば２．５ｃｍ程度とし、高さも長尺の緩衝パッド３ａより高い５．５ｃｍ程度としてあり、また、コーナー緩衝パッド３ｂのＬ字片の片側長さ、連結緩衝パッド３ｃの長さは、これを長尺の緩衝パッド３ａの長手方向端部の受入支持を行うに適した長さ、例えば５〜７ｃｍ程度としてある。
【００２７】
これらコーナー緩衝パッド３ｂ及び連結緩衝パッド３ｃは、該コーナー及び連結位置でその対接片３１をパネル枠２に対接することから、長尺の緩衝パッド３ｂの対接片３１に配置した上記屈曲リブ３３による凹溝３４を閉塞することなく、該凹溝３４に対する固定フィン２３の受入れを阻害しないように、該凹溝３４に応じたスリット３６、本例にあっては上記高さ５〜６ｍｍ乃至これよりやや高い幅としたスリットを、該凹溝３４と対応してこれと平行に配置したものとしてある。
【００２８】
このため、コーナー緩衝パッド３ｂにあっては、コーナー位置に交差片３１とカバー片３５を上下に結び、直交位置で内部を２区分するように仕切プレート３８を配置し、該仕切プレート３８から交差方向に側端を固定して、上記長尺の緩衝パッド３ａの対接片３１を覆う被覆片３７を突出配置するとともにカバー片３５の先端を同様に自由端とし且つ被覆片３７の他端を自由端としたものとし、また、連結緩衝パッド３ｃにあっては、そのカバー片３５の先端から対接片３２を起立するように、該カバー片３５と対接片３２を一体に起立配置したものとし、それぞれ上記凹溝３４に応じたスリット３６を配置したものとしてある。
【００２９】
本例にあって、該コーナー緩衝パッド３ｂは、コーナー部分に設置して長尺の緩衝パッド３ａを連結するところから、その平面形状をＬ字状とし、連結緩衝パッド３ｃは、直線部分に設置して長尺の緩衝パッド３ａを連結するところから、その平面形状をＩ字状として、それぞれ同様に上記熱可塑性エラストマーで一体に成形したものとしてある。
【００３０】
これらコーナー緩衝パッド３ｂ及び連結緩衝パッド３ｃは、必要に応じて用いればよいが、これらを用いるとき、長尺の緩衝パッド３ａに先行し又は後続してパネル枠２に設置し、これらが長尺の緩衝パッド３ａを被嵌して受け入れるようにすればよく、このとき、コーナー緩衝パッド３ｂにあっては一端固定の被覆片３７を手捲りし、連結緩衝パッド３ｃにあっては被覆片３７を手捲りすれば長尺の緩衝パッド３ａの端部を容易に被嵌連結することができる。また、該コーナー部分又は直線の連結部分で、必要に応じて、その対接片３２を同様にネジで固定し、また、被嵌した長尺の緩衝パッド３ａの対接片３２とともにネジで固定することができ、このとき、コーナー緩衝パッド３ｂのカバー片３５を同様に手捲りすればネジの固定を行うことができ、連結緩衝パッド３ｃにあっては、パネル枠２への位置決め状態で交差片３１側からカバー片３５を手捲りすればネジの固定を行うことができ、従ってこれらによる連結を簡易に行うことができる。
【００３１】
このようにコーナー緩衝パッド３ｂ及び／又は連結緩衝パッド３ｃを用いて、長尺の緩衝パッド３ａを連結する場合、これらが、該長尺の緩衝パッド３ａを被嵌受入れすることによって、該長尺の緩衝パッド３ａを外観よく連結できる上、該連結部分においても、長尺の緩衝パッド３ａが上記屈曲リブ３３を備える上、更に、これらコーナー緩衝パッド３ｂや連結緩衝パッド３ｃが被嵌するため、接触衝撃を高度に吸収緩和して、怪我の防止や太陽電池アレイＡ、ひいては太陽電池パネル１の保護を極めて高度化することができる。
【００３２】
図示した例は以上のとおりとしたが、長尺の緩衝パッドを単独で使用すること、これにコーナー緩衝パッド及び／又は連結緩衝パッドを追加して使用することを含めて、本発明の実施に当って、太陽電池アレイ、太陽電池パネル、パネル枠、長尺の緩衝パッド、交差片、対接片、屈曲リブ、カバー片、必要に応じて用いるコーナー緩衝パッド、連結緩衝パッド等の各具体的形状、構造、材質、これらの関係、これらに対する付加等は、上記発明の要旨に反しない限り様々な形態とすることができる。
【符号の説明】
【００３３】
Ａ  太陽電池アレイ
１  太陽電池パネル
１１  架台
２  パネル枠
２１  保持片
２２  架台固定片
２３  固定フィン
３ａ  緩衝パッド
３ｂ  コーナー緩衝パッド
３ｃ  連結緩衝パッド
３１  交差片
３２  対接片
３３  屈曲リブ
３４  凹溝
３５  カバー片
３６  スリット
３７  被覆片
３８  仕切プレート
３９  タップネジ
【図１】
2012174832.tif 000003
【図２】
2012174832.tif 000004
【図３】
2012174832.tif 000005
【図４】
2012174832.tif 000006
【図５】
2012174832.tif 000007
【図６】
2012174832.tif 000008
【図７】
2012174832.tif 000009
【図８】
2012174832.tif 000010
【図９】
2012174832.tif 000011
【図１０】
2012174832.tif 000012
【図１１】
2012174832.tif 000013
【図１２】
2012174832.tif 000014
【図１３】
2012174832.tif 000015